(57)【要約】【課題】  本発明の目的は、乗りかごに侵入した害虫をホールへ追い出すことが出来るエレベータの害虫追い出し装置を提供することにある。【解決手段】  乗りかご１と、乗りかご１への通路に設けられたドア４と、乗りかご１の昇降及びドア４の開閉を制御する制御部６とを備え、乗りかご１の内側に侵入した害虫Ｉを乗りかご１の外側に追い出すエレベータの害虫追い出し装置において、エレベータホール８に設置され、制御部６により乗りかご１及びドア４と連携して制御されて特定の周波数の音源を流す音響装置５を備え、制御部６は、音響装置５が配置された階で乗りかご１を停止させる制御と、ドア４を開く制御と、音響装置５から特定周波数の音源を流す制御とを実行する。【選択図】  図１
2016060573.tif 000002
【特許請求の範囲】
【請求項１】
乗りかごと、乗りかごへの通路に設けられたドアと、前記乗りかごの昇降及び前記ドアの開閉を制御する制御部とを備え、前記乗りかごの内側に侵入した害虫を前記乗りかごの外側に追い出すエレベータの害虫追い出し装置において、
エレベータホールに設置され、前記制御部により前記乗りかご及び前記ドアと連携して制御されて特定の周波数の音源を流す音響装置を備え、
前記制御部は、前記音響装置が配置された階で前記乗りかごを停止させる制御と、前記ドアを開く制御と、前記音響装置から特定周波数の音源を流す制御とを実行することを特徴とするエレベータの害虫追い出し装置。
【請求項２】
請求項１において、
前記音響装置は、予め設定された特定階に設置されており、
前記制御部は、害虫が前記乗りかごの内側に侵入したか否かを判定し、害虫が乗りかごの内側に追い出されたと判定した場合に、前記ドアを閉じて前記乗りかごを予め設定された階に移動させることを特徴とするエレベータの害虫追い出し装置。
【請求項３】
請求項２において、
害虫が前記乗りかごの内側に侵入したか否かの判定は、乗りかご、エレベータホール又は監視室の少なくともいずれかに設けられた操作スイッチの操作によって行われることを特徴とするエレベータの害虫追い出し装置。
【請求項４】
請求項１乃至３のいずれかにおいて、
前記制御部は、害虫が前記乗りかごの外に追い出されたか否かを判定し、害虫が乗りかごの外に追い出されたと判定した場合に、前記ドアを閉じ、その後、前記音響装置から特定の周波数の音源を流すのを停止することを特徴とするエレベータの害虫追い出し装置。
【請求項５】
請求項４において、
害虫が前記乗りかごの外に追い出されたか否かの判定は、予め定めた時間が経過したか否かを判定することにより実行されることを特徴とするエレベータの害虫追い出し装置。
【発明の詳細な説明】
【技術分野】
【０００１】
本発明は、エレベータの乗りかごに侵入した害虫を、乗りかごから追い出すための装置に関する。
【背景技術】
【０００２】
エレベータの乗りかごに侵入した害虫を除去する装置として、例えば特開２００６−０９６４８３号公報（特許文献１）及び特開２００９−１７９４２０号公報（特許文献２）の技術が公開されている。特許文献１には、乗りかご内に噴射ボタンを設置し、乗りかごの運転中に、この噴射ボタンが押下操作されたとき、害虫駆除システム制御装置の制御により噴射装置を駆動して、害虫忌避成分を含んだ害虫駆除剤を噴射するエレベータの害虫駆除システムが記載されている（要約参照）。また、特許文献２には、かご室内に、開口部が設けられたランプハウスを設け、このランプハウスの中に、近紫外線の光を発光する誘虫灯が取り付けられた誘虫室と、この誘虫室の奥側に配置され誘虫灯の周辺に集まった害虫を吸引する吸引ファンが取り付けられた吸引室とを設けたエレベータかごが記載されている（要約参照）。
【先行技術文献】
【特許文献】
【０００３】
【特許文献１】特開２００６−０９６４８３号公報
【特許文献２】特開２００９−１７９４２０号公報
【発明の概要】
【発明が解決しようとする課題】
【０００４】
特許文献１に記載の技術には、害虫駆除剤を散布することでエレベータの乗りかごの乗客に不快感を与えかねないという課題がある。また、エレベータの乗りかごに散布された害虫駆除剤が人体に悪影響を与えないよう、種類や散布のし方を工夫する必要がある。特許文献２に記載の技術には、吸引ファンにより乗りかごに侵入した害虫を吸引室に集めるため、害虫は乗りかごにとどまっており、害虫を乗りかごから駆除出来ないという課題がある。
【０００５】
本発明の目的は、乗りかごに侵入した害虫をホールへ追い出すことが出来るエレベータの害虫追い出し装置を提供することにある。
【課題を解決するための手段】
【０００６】
上記目的を達成するために、乗りかごと、エレベータと連動制御することができ、ホールに設置された音響装置と、ドアとを制御部で連動制御し、音響装置で特定の周波数の音源を流し、害虫が特定の周波数の音源に向かっていく習性を利用して、乗りかご内に侵入した害虫をホールに追い出す。
【発明の効果】
【０００７】
本発明によれば、害虫駆除剤を使用することもなく、現在使用している乗りかごをそのまま使用し、音響装置を追加使用することで、乗りかご内に侵入した害虫をホールに追い出すエレベータの害虫追い出し装置を提供することが出来る。
【０００８】
上記した以外の課題、構成及び効果は、以下の実施形態の説明により明らかにされる。
【図面の簡単な説明】
【０００９】
【図１】本発明に係る実施形態の概略図を示す図。
【図２】本発明に係るシステム処理のフローチャートを示す図。
【発明を実施するための形態】
【００１０】
本実施例のエレベータの害虫追い出し装置では、害虫（以下、虫という）が特定の周波数の音や光に向かって集まる習性を利用することで、乗りかご内の虫をエレベータホールへ追い出す。本実施例のエレベータの害虫追い出し装置は、エレベータホール８に設置した音響装置５或いはホール照明３によってエレベータホール８に誘引するので、エレベータの害虫誘引装置と言うこともできる。
【００１１】
以下、本発明に係るエレベータシステムの実施形態について、図面を用いて説明する。
【００１２】
図１は、本発明の一実施形態によるエレベータシステムを示す概略図である。また、図１に示した構成は、エレベータの害虫追い出し装置の構成を示している。本発明に係るエレベータシステムは、乗りかご１と、乗りかごの照明２，２ａと、エレベータと連動制御することができるエレベータホール８の照明３と、乗りかご１に設けられたドア４ａと、ホール８側に設けられたドア４ｂと、エレベータと連動制御することが出来る音響装置５と、乗りかご１及びエレベータホール８の照明２，２ａ，３の点灯／消灯（点滅）とドア４ａ，４ｂの開閉と音響装置５とを制御する制御部６とを備える。
【００１３】
乗りかご１と、乗りかごの照明２，２ａと、乗りかご１に設けられたドア４ａと、ホール８側に設けられたドア４ｂとは、通常のエレベータシステムと同様に、制御部６により連動（連携）して制御される。本実施例では、音響装置５はエレベータホール８に設置されており、エレベータホール８に設置された照明３及び音響装置５も制御部６によりエレベータに連動（連携）して制御される。
【００１４】
乗りかご１は、制御部６により点滅が制御される複数の照明２，２ａと、ドア４ａと、制御部６に接続された操作ボタン７ａを備える。乗りかご１のドア４ａとエレベータホール８のドア４ｂは、エレベータのドア４を構成する。以下の説明では、乗りかご１に設けられた複数の照明２を「乗りかご照明２」と称し、乗りかご１に設けられた操作ボタン７ａを「乗りかごボタン７ａ」と称する。
【００１５】
制御部６は、エレベータを制御する制御装置であり、例えばエレベータを制御する制御盤に設けられる。以下に説明するように、制御部６は、乗りかご１のドア４ａとエレベータホール８のドア４ｂの開閉と、音響装置５のＯＮ／ＯＦＦと、乗りかご照明２とホール照明３の点滅とを制御する。
【００１６】
乗りかごボタン７ａは、本エレベータシステムが乗りかご１内の虫Ｉをエレベータホール８へ追い出す動作を開始させるための操作ボタンである。乗りかごボタン７ａは、本エレベータシステムが乗りかご１内の虫Ｉをエレベータホール８へ追い出す動作を終了させることもできる。乗りかご１内の乗客が乗りかごボタン７ａを操作すると、本エレベータシステムは、乗りかご１内の虫Ｉをエレベータホール８へ追い出す動作を開始または終了する。
【００１７】
本エレベータシステムが乗りかご１内の虫Ｉをエレベータホール８へ追い出す動作を開始または終了させるための操作ボタンは、エレベータホール８又は乗りかご１内を監視する監視室１０に設けてもよい。或いは、操作ボタンをエレベータホール８及び監視室１０の両方に設けてもよい。すなわち、操作ボタンは乗りかご１内、エレベータホール８又は監視室１０の少なくともいずれか１箇所に設けられていればよい。エレベータホール８に設けられた操作ボタン７ｂを「ホールボタン７ｂ」と称し、監視室１０に設けられたさ操作ボタン７ｃを「監視室ボタン７ｃ」と称する。ホールボタン７ｂと監視室ボタン７ｃも、制御部６に接続される。エレベータホール８にいる人がホールボタン７ｂを操作すると、または監視室１０にいる監視員が監視室ボタン７ｃを操作すると、本エレベータシステムは、乗りかご１内の虫Ｉをエレベータホール８へ追い出す動作を開始または終了する。
【００１８】
羽をもつ虫は、飛ぶときに、特有の周波数の音（羽音）を発生する。この羽音の周波数を検知することにより、自動で虫の侵入或いは追い出しの完了を検知するようにしてもよい。
【００１９】
乗りかご照明２，２ａは、複数個設けられ、乗りかご１の内部を明るくする。図１の例では、乗りかご照明２，２ａは、乗りかご１の天井に、乗りかごのドア４ａに対向する乗りかごの側面９からドア４ａに向かう方向に沿って３個設けられている。乗りかご照明２の数は、複数であればよく、３個に限らない。また、乗りかご照明２の乗りかご１内での配置は、任意である。ただし、少なくとも１つの乗りかご照明２ａを、ドア４ａの付近に設けるのが好ましい。乗りかご照明２，２ａは、乗りかご１の床面や側面に設けてもよいが、乗りかご照明２の光に集まった虫Ｉが乗りかご１の乗客の視界になるべく入らないように、乗りかご１の天井に設けるのが好ましい。後述するように、乗りかご照明２のうち、最もドアに近い位置にある乗りかご照明２ａは、制御部６により、他の乗りかご照明２とは異なる点滅制御がされる。
【００２０】
ホール照明３は、制御部６により、エレベータと連動して点滅が制御される。図１の例では、ホール照明３は、エレベータホール８の天井に１個設けられ、エレベータホール８を明るくする。ホール照明３の数は、１個でも複数個でもよい。ホール照明３のエレベータホール８内での位置は、任意であるが、ドア４ｂの付近に設けるのが好ましい。ホール照明３は、エレベータホール８の床面や側面に設けてもよいが、ホール照明３の光に集まった虫Ｉがエレベータホール８にいる人の視界になるべく入らないように、エレベータホール８の天井に設けるのが好ましい。
【００２１】
音響装置２は、エレベータホール８に設置され、制御部６によりエレベータと連動（連携）して制御される。虫Ｉの追い出し動作を実行する場合に、制御部６は音響装置２をＯＮして、特定の周波数の音源をエレベータホール８に流す。音源は、特定の周波数として、一つの周波数を含んでいてもよいし、複数の周波数を含んでいてもよい。なお、音響装置２の例として、例えばブブゼラなどがある。音響装置２は特定の階に設置してもよいし、全ての階に設置してもよい。
【００２２】
以下の説明では、乗りかご１のドア４ａとエレベータホール８のドア４ｂを総称して、「エレベータのドア４」または単に「ドア４」と称する。乗りかご１のドア４ａとエレベータホール８のドア４ｂとは共に、乗りかご１への通路に設けられる。ドア４は制御部６により開閉され、乗りかご１への通路を開閉する。
【００２３】
以下、本実施形態によるエレベータシステムが、乗りかご１内の虫Ｉをエレベータホール８へ追い出す動作について、図２を用いて説明する。図２は乗りかごに侵入した害虫をホールに追い出す時の動作を示すフローチャートである。
【００２４】
エレベータを起動させると、制御部５は、エレベータを通常に運転し、ドア４の開閉と乗りかご１の移動を行う（Ｓ１）。このとき、乗りかご１内の乗りかご照明２は少なくとも任意の１つが点灯しており、エレベータホール８のホール照明３は消灯している。
【００２５】
通常運転の状態で、乗りかご１の中に虫Ｉが侵入した場合、乗りかご１から虫Ｉを追い出す運転を行う。虫Ｉの侵入は、上述したように、乗りかごボタン７ａの操作、ホールボタン７ｂの操作又は監視室ボタン７ｃの操作により、制御装置６が判断する。ステップＳ２において、乗りかごボタン７ａ、ホールボタン７ｂ又は監視室ボタン７ｃのいずれかの操作ボタンが操作されると、害虫の追い出し動作を実行するため、次のステップＳ３に移行する。乗りかごボタン７ａ、ホールボタン７ｂ又は監視室ボタン７ｃのいずれの操作ボタンも操作されない場合は、エレベータの通常運転を継続する。なお、上述したような自動検出装置を設けて、虫Ｉの乗りかご１内への侵入を検知するようにしてもよい。
【００２６】
ステップＳ３において、エレベータのドア４が開いているか否かを判定し、エレベータのドア４が開いている場合はステップＳ４に進み、制御部６はドア４を閉じる。これは、後述するように乗りかご１を移動させるためでもあるが、乗りかご１内にさらに虫６を入れないためである。ドア４を開けていると、次に述べるステップＳ５の処理で、乗りかご１の外部から乗りかご１内に虫Ｉが侵入する恐れがある。ステップＳ４でドア４を閉め終わると、或いはスッテプＳ３でドアが閉まっていると判定されると、ステップＳ５に進む。
【００２７】
虫Ｉをエレベータホール８へ効果的に追い出すためには、虫Ｉをドア４の付近に集める必要がある。そこで、ステップＳ５において、制御部６は、複数の乗りかご照明２，２ａを制御し、最もドア４に近い位置にある乗りかご照明２ａを点灯させ、その他の乗りかご照明２を消灯させる。これによって、最もドア４に近い位置にある乗りかご照明２ａの周囲に、乗りかご１内の虫Ｉを集めることができる。
【００２８】
その後、ステップＳ６において、制御部６は、乗りかご１が予め設定した特定の階にいるか否かを判定し、予め設定した特定の階にいない場合はステップＳ７に進み、乗りかご１を特定階へ移動させる。予め設定した特定の階とは、乗りかご１内の虫Ｉを逃がす階であり、エレベータホール８に制御部６によりエレベータと連動制御されるホール照明３及び音響装置５が設置されている階である。全ての階のエレベータホール８に制御部６によりエレベータと連動制御されるホール照明３及び音響装置５が設置されている場合は、全ての階が特定階の対象になる。この場合は、ステップＳ６及びステップＳ７の処理は不要になり、乗りかご１が移動中（昇降中）の場合は、最寄りの階で乗りかご１を停止すればよい。乗りかご１内の虫Ｉを逃がす階は、任意に設定できるが、例えば、１階や屋上階或いは駐車場の階などの屋外と連絡している階に設定するのが好ましい。乗りかご１が特定階へ移動するまでの間に乗客の行き先階やエレベータホール８からの呼び出し階を経由する場合は、制御部５は、乗りかご１をそれらの階に停止させてもよい。以下、予め設定した特定の階を特定階と言う。
【００２９】
乗りかご１が特定階で停止したら、ステップＳ８において、制御部６は、最もドア４に近い位置にある乗りかご照明２ａを消灯させて、全ての乗りかご照明２を消灯させる。
【００３０】
ステップＳ９に進み、制御部６は、ドア４を開ける。ステップ９に続くステップＳ１０では、乗りかごが停止しているエレベータホール８のホール照明３を点灯させる。また、ステップＳ１１では、制御部６は、エレベータホール８の音響装置５をＯＮして、音響装置５から特定の周波数の音源を流す。ステップＳ１０及びステップ１１はステップＳ９以前に実行してもよい。また、ステップ１１はステップＳ１０以前に実行してもよい。乗りかご１に侵入した虫Ｉは、音響装置２から発する音源とホール照明３とに引き寄せられ、乗りかご１内からエレベータホール８に出ていく。これにより、乗りかご１内の虫Ｉを乗りかご１内から追い出すことが出来る。
【００３１】
制御部６は、エレベータホール８のホール照明３を点灯させると共に、音響装置５から特定の周波数の音源を流した後、ステップ１２において、虫Ｉが乗りかご１から出たか否かを判定する。この判定は、例えば予め定めた時間が経過したか否かを判定することにより、実行することができる。予め定めた時間の経過は、ステップＳ２で害虫の追い出し動作を開始した時点（時刻）からの経過時間であってもよいし、ステップ９でドア４を開いた時点（時刻）からの経過時間であってもよい。或いは、上述した自動検出装置を用いて判定してもよい。本実施形態では、予め定めた時間が経過した場合、乗りかご１内の虫Ｉをエレベータホール８へ追い出すことができたものと判定する。この予め定めた時間は、任意に設定できるが、例えば、乗りかご１内の虫６がエレベータホール８へ出ていくのに十分な時間に設定することができる。または、制御部６は、乗りかご１内の乗客によって乗りかごボタン７ａが操作されることにより、或いは監視員により監視室ボタン７ｃが操作されることにより、乗りかご１内の虫Ｉをエレベータホール８へ追い出す動作を終了してもよい。
【００３２】
ステップ１２において、虫Ｉが乗りかご１内から出たものと判定されると、ステップＳ１３に進み、制御部６は、虫Ｉに再度侵入されることを防ぐためにドア４を閉め、少なくとも１つの乗りかご照明２を点灯させ、ホール照明３を消灯させ、音響装置５をＯＦＦして、虫Ｉをエレベータホール８に追い出す動作を終了する。乗りかご照明２の点灯とホール照明３の消灯と音響装置５のＯＦＦとは、ドア４を閉めた後に実行する。これにより、追い出した虫Ｉが乗りかご１内に再度侵入するのを防ぐことができる。
【００３３】
本実施形態において、乗りかご照明２，２ａ及びホール照明３の点滅は用いず、すなわちステップＳ５、ステップＳ８及びステップＳ１０を実行せず、音響装置５を使用して、虫Ｉをエレベータホール８に追い出す動作を実行してもよい。この場合、乗りかご１内及びエレベータホール８の明るさが変化しないので、乗客に違和感を与えることが無い。音響装置５の音源は、人間の可聴周波数の範囲外の周波数である場合もある。ので、音源に人間の可聴周波数の範囲外の周波数を用いる場合は、乗客（利用客）は違和感を覚えることが無い。
【００３４】
音響装置５と乗りかご照明２，２ａの点滅とを併用する場合は、予め虫Ｉをドア４の近くに誘導できるので、音響装置５の出力を小さくすることができる。さらに、ホール照明３を併用することにより、音響装置５とホール照明３の効果で、虫Ｉをエレベータホール８に追い出す効果が高まる。
【００３５】
なお、本発明は上記した各実施例に限定されるものではなく、様々な変形例が含まれる。例えば、上記した実施例は本発明を分かりやすく説明するために詳細に説明したものであり、必ずしも全ての構成を備えるものに限定されるものではない。また、実施例の構成の一部について、他の構成の追加・削除・置換をすることが可能である。
【符号の説明】
【００３６】
１…乗りかご
２，２ａ…乗りかご照明
３…ホール照明
４，４ａ，４ｂ…ドア
５…音響装置
６…制御部
７ａ…乗りかごボタン
７ｂ…ホールボタン
７ｃ…監視室ボタン
Ｉ…害虫
【図１】
2016060573.tif 000003
【図２】
2016060573.tif 000004